(57)【特許請求の範囲】
【請求項１】
透明基材の少なくとも一面上にアンテナパターンが形成され、
該アンテナパターンは不透明な導電体層をメッシュパターンで形成した導電体メッシュ層によって形成され、
該メッシュパターンは二つの分岐点の間を延びて多数の開口領域を画成する多数の境界
線分から構成され、一つの分岐点から延びる境界線分の数の平均値Ｎが３．０＜Ｎ＜４．０であり、且つ、該開口領域が繰返周期を持つ方向が存在しないパターンからなる領域を含む、透明アンテナ。
【請求項２】
ディスプレイパネルの画面上に、請求項１記載の透明アンテナが配置されている、画像表示装置。
【発明の詳細な説明】
【技術分野】
【０００１】
本発明は透明性を有する透明アンテナと、この透明アンテナを画面上に配置した画像表示装置に関する。特に、アンテナパターンの透明性と導電性とが両立する上、濃淡ムラ発生とディスプレイパネルの画素配列との干渉によるモアレ発生を共に防げる透明アンテナと、これを用いた画像表示装置に関する。
【背景技術】
【０００２】
現在、テレビ電波やＦＭ電波等の各種電波を受信する為の、或いはカーナビゲーションシステムの普及に伴いＧＰＳ（global positioning system）衛星等の位置座標情報の電波を受信する為の、透明アンテナとして、自動車のフロントガラスに貼り付けるフィルムアンテナが知られている。フィルムアンテナは、視界を妨げない様に、通常、透明ポリエステルフィルム等に、金属箔、導電ペーストでアンテナパターンを形成して、一応はフィルムアンテナ全体としては透明性を確保したアンテナである。ただ、アンテナパターンを構成する金属箔、導電ペースト等の導電体はそれ自体が不透明であり、視界を大幅に妨げるものではないが、アンテナパターン自体は見えるものである。一方、アンテナパターンに導電体それ自体が透明であるＩＴＯ（インジウム錫酸化物）膜を用いた透明アンテナも提案されている（特許文献１、特許文献２）。
【０００３】
ただ、この様な金属や導電ペーストなど不透明な導電体パターンによる透明アンテナは、導電性はよいが、アンテナパターンが見える。このため、近くで見る用途、例えば携帯電話の表示窓などディスプレイパネルの画面上に載置する用途への適用は、表示を視認する際に邪魔になり、適用できなかった。この点でアンテナパターンにＩＴＯ膜を用いれば、導電体自体が透明であるので、表示の妨げにはならない。しかし、ＩＴＯ膜は導電性が劣り、アンテナとしての性能が十分に得られない。また、ＩＴＯ膜は導電性を上げると透明性が低下してしまう。従って、この様な用途にも適用できる透明アンテナの導電体としてＩＴＯ膜は、十分な導電性と十分な透明性を両立できなかった。
【０００４】
そこで、本出願人は、アンテナパターンの透明性と導電性とが両立する透明アンテナを提案した（特許文献３）。この透明アンテナは、透明基材上に形成される透明アンテナのアンテナパターンが、不透明な導電体層の形成部としての導体部と非形成部としての多数の開口部とによるメッシュ状の導電体メッシュ層によって形成されているものである。
【先行技術文献】
【特許文献】
【０００５】
【特許文献１】特開昭６３−１９８４０１号公報
【特許文献２】特開平０２−０８２７０１号公報
【特許文献３】特開平２０１１−０６６６１０号公報
【発明の概要】
【発明が解決しようとする課題】
【０００６】
しかし、透明アンテナを、携帯電話の表示窓への適用などディスプレイパネルの画面上に載置する用途では、ディスプレイパネルを構成する画素の繰返周期と、透明アンテナを構成する導電体メッシュ層のメッシュパターンの繰返周期とが干渉して、モアレが生じることがある。
そこで、本発明者らは、モアレが生じない様にする為に、導電体メッシュ層のメッシュパターンを、完全にランダムパターン化することを目指し、画像表示装置関連分野に於いて提案されている公知のランダムパターンを各種模索した。
【０００７】
例えば、電磁波シールド用の導電体メッシュ層のメッシュパターンとして、国際公開第２００７／１１４０７６号のパンフレットでは、有機溶剤処理と酸処理とを組み合わせた化学処理によって形成したメッシュパターンを提案している。このメッシュパターンは完全にランダムパターン化している。しかし、このメッシュパターンではモアレは解消するが、パターン自体に粗密が存在し、その粗密による濃淡の外観ムラがあり、ディスプレイパネルに適用したときには、明度の濃淡ムラが生じる。また、線の一部が断線しており、透明性を低下させるだけで導電性に寄与しない部分がある。
一方、特開平１１−１２１９７４号公報では、モアレ防止の為に、これも電磁波シールド用の導電体メッシュ層のメッシュパターンとして、線の一部を断線させることなく、配列の周期性を一部は残し、一部はランダム化したメッシュパターンを提案している。しかし、この一部ランダム化したメッシュパターンでは、濃淡ムラは軽減し、導電性も確保できるが、モアレが残る。
この様に、画像表示装置関連分野に於いて提案されてきた公知のパターンでは、モアレの解消と、濃淡ムラの解消とを、両立させることが出来なかった。
【０００８】
そこで、本発明の課題は、メッシュパターンによって十分な導電性と十分な透明性を両立し、しかも、メッシュパターンに起因するモアレと濃淡ムラに対して、モアレ解消と濃淡ムラ解消も両立する透明アンテナを提供することである。また、この透明アンテナを画面上に配置した画像表示装置を提供することである。
【課題を解決するための手段】
【０００９】
そこで、本発明では、次の様な構成の、透明アンテナと画像表示装置とした。
（１）透明基材の少なくとも一面上にアンテナパターンが形成され、
該アンテナパターンは不透明な導電体層をメッシュパターンで形成した導電体メッシュ層によって形成され、
該メッシュパターンは二つの分岐点の間を延びて多数の開口領域を画成する多数の境界線分から構成され、一つの分岐点から延びる境界線分の数の平均値Ｎが３．０＜Ｎ＜４．０であり、且つ、該開口領域が繰返周期を持つ方向が存在しないパターンからなる領域を含む、透明アンテナ。
（２）ディスプレイパネルの画面上に、上記（１）の透明アンテナが配置されている、画像表示装置。
【発明の効果】
【００１０】
（１）本発明の透明アンテナによれば、導電体層にそれ自体は不透明であるが導電性に優れた金属層や導電性組成物層などを用いてメッシュパターンで形成された導電体メッシュ層とすることができるので、十分な導電性と十分な透明性とを両立できる。しかも、導電体メッシュ層のメッシュパターンで画成される多数の開口領域に、どの方向にも周期性が存在せず、またメッシュパターンの粗密も存在しないので、ディスプレイパネルに適用したときに、画素とのモアレも濃淡ムラも共に生じず、モアレ解消と濃淡ムラ解消も両立する。したがって、十分な導電性と十分な透明性が両立し、しかも、モアレ解消と濃淡ムラ解消も両立する。
（２）本発明の画像表示装置によれば、ディスプレイパネルの画面上に設けた透明アンテナが上記効果を有するため、アンテナとしての十分な導電性と、これと両立した十分な透明性が得ら、しかも、モアレ解消と濃淡ムラ解消も両立するので、品質の良い画像を表示できる。
【図面の簡単な説明】
【００１１】
【図１】本発明による透明アンテナの一実施形態例を示す斜視図。
【図２】本発明による透明アンテナのアンテナパターンの別の形状を例示する平面図。
【図３】アンテナパターンを構成する導電体メッシュ層のメッシュパターンの一例を示す平面図。
【図４】メッシュパターンに繰返周期が存在しないことを説明する平面図。
【図５】メッシュパターンを設計する方法において、母点を決定する方法を示す図。
【図６】メッシュパターンを設計する方法において、母点を決定する方法を示す図。
【図７】メッシュパターンを設計する方法において、母点を決定する方法を示す図。
【図８】決定された母点群の分散の程度を絶対座標系と相対座標系で説明する図。
【図９】決定された母点からボロノイ図を作成してメッシュパターンを決定する方法を示す図。
【図１０】メッシュパターンがアンテナパターンのパターン領域の寸法の１／３以上の大きさの単位パターン領域として繰り返された一例を示す平面図。
【図１１Ａ】本発明の透明アンテナの導電体メッシュ層のメッシュパターンを示す平面図。
【図１１Ｂ】ディスプレイパネルの画素配列を示す平面図。
【図１１Ｃ】図１１Ａと図１１Ｂとを重ねた状態を示す平面図。
【図１２】規則的パターンを有する導電体メッシュ層（Ａ）と、ディスプレイパネルの画素配列（Ｂ）と、これらを重ねた状態（Ｃ）を示す平面図。
【図１３】導電体メッシュ層のライン部の主切断面形状の各種例を示す断面図。
【図１４】本発明による透明アンテナの別の形態例（機能層付き）を例示する断面図。
【図１５】本発明による画像表示装置の一形態を例示する断面図。
【図１６】従来の透明アンテナの一形態を例示する断面図。
【発明を実施するための形態】
【００１２】
以下、本発明の実施の形態について、各層毎に図面を参照しながら説明する。
【００１３】
〔Ａ〕用語の定義：
以下に、本発明において用いる主要な用語について、その定義をここで説明しておく。
【００１４】
「一面１ｐ」と「他の面１ｑ」との面それ自体の区別はないが、アンテナパターン２が常に存在する面を「一面１ｐ」として取り扱う。
「シート面」とは、シート状形態の透明アンテナ１０を全体的かつ大局的に見た場合において透明アンテナ１０の平面方向と一致する面のことを意味する。また、この場合、「シート面」は、透明基材１の「一面１ｐ」及び「他の面１ｑ」と平行な面でもある。
「主切断面形状」とは、導電体メッシュ層３（メッシュパターン３Ｐで言えばそのライン部Ｌｔに該当する導電体メッシュ層３）の断面形状について、注目する部分が形成された面に立てた法線ｎに平行な断面のうち、導電体メッシュ層３の断面に注目する部分の延在方向に直交する断面として定義される「主切断面」に於ける形状のことを意味する。
「平面視形状」とは、形状について注目する部分の対象物（アンテナパターン２や導電体メッシュ層３）が形成された面に於ける形状のことを意味する。「平面視形状」とは、シート状の透明アンテナ１０において、形状について注目する部分の対象物（アンテナパターン２や導電体メッシュ層３）を、シート面に立てた法線ｎの方向から見た形状のことでもある。
【００１５】
「シート」、「フィルム」、「板」の用語は、呼称の違いのみに基づいて、互いから区別されるものではない。したがって、例えば、「シート」はフィルムや板とも呼ばれ得るような部材も含む概念である。
【００１６】
〔Ｂ〕透明アンテナ：
本発明の透明アンテナを、図１の斜視図で示す一実施形態例を参照して説明する。図１（Ａ）は透明アンテナ１０の全体図、図１（Ｂ）は透明アンテナ１０をアンテナパターン２が形成された部分の部分拡大図である。
【００１７】
図１（Ａ）及び（Ｂ）の一実施形態例で例示する本発明の透明アンテナ１０は、透明基材１の一面１ｐ上にアンテナパターン２が形成されており、このアンテナパターン２は、不透明な導電体層を本発明固有のメッシュパターン３Ｐで形成した導電体メッシュ層３を、アンテナパターン２の形状に形成することで形成されている。メッシュパターン３Ｐは、多数の開口領域Ａを画成する多数の境界線分Ｌから構成され、境界線分Ｌは、一つの分岐点Ｂから延びる境界線分Ｌの数の平均値Ｎが３．０＜Ｎ＜４．０であり、且つ、前記開口領域Ａが繰返周期を持つ方向が存在しない領域を有するランダムパターンとなっている。
透明アンテナ１０を、この様な構成とすることによって、十分な導電性と十分な透明性を両立させ、しかも、モアレ解消と濃淡ムラ解消も両立させることができる。
【００１８】
なお、図１に示す一実施形態例では、アンテナパターン２は透明基材の一面１ｐのみに形成されている形態であったが、アンテナパターン２は透明基材１の他の面１ｑにも形成されていても良い。この場合、アンテナパターン２は、一面１ｐ上に形成されたパターンと、他の面１ｑ上に形成されたパターンとは、同じものでも良く、異なるものでも良い。
【００１９】
以下、本発明による透明アンテナ１０を、構成要素毎に更に詳述する。
【００２０】
《透明基材》
透明基材１は、図１で例示の様に、アンテナパターン２となる導電体メッシュ層３を支持してその変形を防ぐ機能等を担う層である。
透明基材１には、公知の透明な材料を使用すれば良く、可視光線領域での透明性、耐熱性、機械的強度等を考慮すると、樹脂フィルム（乃至シート）が代表的である。樹脂フィルム（乃至シート）の樹脂は例えば、ポリエチレンテレフタレート等のポリエステル系樹脂、ポメチルメタクリレート等のアクリル系樹脂、シクロオレフィン重合体などのポリオレフィン系樹脂、トリアセチルセルロースなどのセルロース系樹脂、ポリカーボネート系樹脂、ポリイミド系樹脂等である。なかでも、２軸延伸ポリエチレンテレフタレートフィルムは機械的強度、透明性、コスト等の点で好適な材料である。なお、シート状の透明基材の厚みは、取扱性、コスト等の点で通常２０〜５００μｍ、好ましくは２５〜２００μｍだが、特に制限はない。
また、透明基材１は、透明アンテナを被着体に貼り付け易い点でフレキシブルな（可撓性の）材料を選べる樹脂フィルムが好ましいが、用途に応じたものとすれば良く、ガラス、石英、セラミックス、樹脂等からなる剛直な板や成形物などでも使用できる。なお、板材の場合、その厚みは通常０．５〜１０ｍｍだが、特に制限はない。
【００２１】
透明基材１の一面１ｐと他の面１ｑとは、通常は透明基材１がシート状であるので、そのシート面に該当し互いに平行な面となる。
透明基材１は、通常は「シート状」であるが、この「シート」とはフィルムや板も含む概念であり、厚みや剛性によって区別されるものではない。
【００２２】
《アンテナパターン》
アンテナパターン２は、それ自体は不透明な導電体層がメッシュパターン３Ｐで透明基材１の面上に形成された導電体メッシュ層３として形成されることによって構成され、大局的に見たときに透明に見えるアンテナ機能を有するパターンである。
アンテナパターン２は、透明基材１の少なくとも一面１ｐに形成され、さらの他の面に形成されていても良い。例えば、シート状の透明基材１に対して、そのシート面の両面に形成されていても良い。また、アンテナパターン２をその両面から透明基材１で挟む構成としても良い。
アンテナパターン２のパターン形状自体（導電体メッシュ層３の輪郭形状）は、ダイポールアンテナなど用途に応じたものとすれば良い。例えば、図１（Ａ）で例示のパターン形状の他に、図２の平面図で例示するパターン形状等、送受信する電波の周波数、電界強度、所望の利得、用途等に応じて適宜なパターン形状とすれば良い。
【００２３】
〔導電体メッシュ層〕
図１で例示の様に、本発明は、アンテナパターン２を形成する導電体層を、アンテナパターン２内に於いて、従来技術の様に、全面ベタ層（連続層）で構成するのではなく、多数の開口領域Ａを有するメッシュパターン３Ｐによって形成するものであり、このパターン形状に注目した表現として、該メッシュパターン３Ｐで形成された導電体層を導電体メッシュ層３と呼ぶことにする。導電体メッシュ層３は、その形成部である導電体層の部分は不透明であるが、その非形成部である多数の開口領域Ａによって透明性を確保している。
一方、図１６の断面図で例示する従来の透明アンテナ２０の様にＩＴＯ膜を用いる従来のアンテナパターン２は、導電体層はアンテナパターン２の内部全域で開口領域Ａが存在しない連続層の導電体連続層５である。
【００２４】
導電体メッシュ層３は、平面視形状が、多数の開口領域Ａを有するメッシュパターン３Ｐから成り、該メッシュパターン３Ｐは多数の開口領域Ａを有する特定の形状で、該開口領域Ａが繰返周期を持つ方向が存在しない、ランダムパターンとなっている。
【００２５】
［メッシュパターンとこれにより画成される開口領域］
メッシュパターン３Ｐは、図３に示す如く、二つの分岐点Ｂの間を延びて多数の開口領域Ａを画成する多数の境界線分Ｌから構成され、一つの分岐点Ｂから延びる境界線分Ｌの数の平均値Ｎが、３．０＜Ｎ＜４．０、つまり、３．０超え４．０未満であり、且つ、前記境界線分Ｌで画成された前記開口領域Ａに繰返周期を持つ方向が存在しない形状となっている。
【００２６】
さらに、導電体メッシュ層３が有するメッシュパターン３Ｐについて、図３および図９を主として参照しながら、メッシュパターン３Ｐを、シート状の透明アンテナ１０のシート面への法線方向から観察した場合における平面視形状で、説明する。
【００２７】
図３および図９に示すように、メッシュパターン３Ｐのライン部Ｌｔは、多数の分岐点Ｂを含んでいる。メッシュパターン３Ｐのライン部Ｌｔは、両端において分岐点Ｂを形成する多数の境界線分Ｌから構成されている。すなわち、メッシュパターン３Ｐのライン部Ｌｔは、二つの分岐点Ｂの間を延びる多数の境界線分Ｌから構成されている。そして、分岐点Ｂにおいて、境界線分Ｌが接続されていくことにより、開口領域Ａが画成されている。言葉を換えて言うと、境界線分Ｌで囲繞され、区画されて１つの閉領域としての開口領域Ａが画成されている。
【００２８】
なお、図３および図９に示すように、ライン部Ｌｔが境界線分Ｌのみから構成されているため、開口領域Ａの内部に延び入って途中で行き止まりとなる導電性に寄与し無いライン部Ｌｔは存在しない。このような態様によれば、アンテナパターン２を構成する導電体メッシュ層３に十分な透明性と高い導電性とを同時に付与することを効果的に実現することできる。
【００２９】
一方、モアレの発生を防止するため、本実施形態による導電体メッシュ層３のメッシュパターン３Ｐでは、開口領域Ａが繰返周期を有する方向が存在しないようになっている。モアレを確実に解消する為には、メッシュパターン３Ｐの全領域がこの様に、どの部分でも開口領域Ａに繰返周期を有する方向が存在しない構成とすることが好ましい。本件発明者らは、鋭意研究を重ねた結果として、単にメッシュパターン３Ｐのパターンを不規則化するのではなく、メッシュパターン３Ｐの開口領域Ａが一定の規則性を持った繰返周期で並べられた方向が存在しないようにメッシュパターン３Ｐのパターンを画成することにより、メッシュパターン３Ｐを導電体メッシュ層３に有する透明アンテナ１０と画素配列を有したディスプレイパネル３０とを重ねた際に生じ得るモアレを、極めて効果的に目立たなくさせることが出来ると判明した。
【００３０】
（繰返周期の不存在）
図４は、メッシュパターン３Ｐで画成される多数の開口領域Ａに、繰返周期が存在しないことを説明するＸＹ平面に平行なシート面に於ける平面図である。このシート面の面内において、任意に方向を向く任意の位置に一本の仮想的な直線ｄｉが選ばれている。
この一本の直線ｄｉは、境界線分Ｌと交差し交差点が形成される。この交差点を、図面では図面左下から順に、交差点ｃ１，ｃ２，ｃ３，・・・・・，ｃ９として図示してある。隣接する交差点、例えば、交差点ｃ１と交差点ｃ２との距離が、前記或る一つの開口領域Ａの直線ｄｉ上での寸法ｔ１である。次に、開口領域Ａに直線ｄｉ上で隣接する別の開口領域Ａについても、同様に、直線ｄｉ上での寸法ｔ２が定まる。そして、任意方向で任意位置の直線ｄｉについて、直線ｄｉと交差する境界線分Ｌとから、任意方向で任意位置の直線ｄｉと遭遇する多数の開口領域Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共にメッシュパターン３Ｐとは分離して描いてある。
この直線ｄｉを図４で図示のものから任意の角度回転させて別の方向について各開口領域Ａの寸法ｔ１，ｔ２，・・を求めると、やはり図４の場合と同様、直線ｄｉ方向に対して繰返し周期性は見られない。即ち、このｔ１，ｔ２，ｔ３，・・・・・・，ｔ８の数値の並びの様に、境界線分Ｌで画成された開口領域Ａには繰返周期を持つ方向が存在しない。
【００３１】
さらに、本実施形態による導電体メッシュ層３のメッシュパターン３Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、メッシュパターン３Ｐの配列パターンを、図１２（Ａ）に示された正方格子パターン（Ｎ＝４．０）から大きく異なるパターンとすることができる。また、一つの分岐点Ｂから延び出す境界線分Ｌの数の平均値Ｎが３．０＜Ｎ＜４．０となっている場合には、ハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした場合、開口領域Ａの配列を不規則化して、開口領域Ａが繰返周期を持って並べられた方向が安定して存在しないようにすることが可能となり、その結果、モアレを極めて効果的に目立たなくさせることが可能となることが、確認された。
【００３２】
なお、一つの分岐点Ｂから延び出す境界線分Ｌの数の平均値Ｎは、厳密には、メッシュパターン３Ｐ内に含まれる全ての分岐点Ｂについて、延び出す境界線分Ｌの数を調べてその平均値を算出することになる。ただし、実際的には、ライン部Ｌｔによって画成された一つ当たりの開口領域Ａの大きさ等を考慮した上で、一つの分岐点Ｂから延び出す境界線分Ｌの数の全体的な傾向を反映し得ると期待される面積を持つ一区画（例えば、後述の寸法例で開口領域Ａが形成されているメッシュパターン３Ｐにおいては、１０ｍｍ×１０ｍｍの部分）に含まれる分岐点Ｂについて延び出す境界線分Ｌの数を調べてその平均値を算出し、算出された値を当該メッシュパターン３Ｐについての一つの分岐点Ｂから延び出す境界線分Ｌの数の平均値Ｎとして取り扱うようにしてもよい。
【００３３】
実際に、図３に示された透明アンテナ１０の導電体メッシュ層３を構成するメッシュパターン３Ｐでは、一つの分岐点Ｂから延び出す境界線分Ｌの数の平均値Ｎが３．０＜Ｎ＜４．０となっている。一例を挙げると、図３のメッシュパターン３Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００３４】
（モアレ発生状況）
そして、図１１Ｃには、図３及び図１１Ａに示された導電体メッシュ層３のメッシュパターン３Ｐを、図１１Ｂに示されたディスプレイパネル３０に於ける典型的な画素配列上に重ねた状態が示されている。図１１Ｃからも理解され得るように、図３及び図１１Ａに示されたメッシュパターン３Ｐを実際に作製してディスプレイパネル３０の画素配列上に配置した場合、視認され得る程度の縞状の模様、すなわちモアレ（干渉縞）は発生しなかった。
【００３５】
ここで、図１１Ｂで示されたディスプレイパネル３０の画素配列は、ディスプレイパネル３０に於ける典型的な画素配列である。図１１Ｂに示す様に、このディスプレイパネル３０では、一つの画素Ｐは、赤色に発光する副画素（サブピクセル）ＲＰと、緑色に発光する副画素ＧＰと、青色に発光する副画素ＢＰと、から構成されている。すなわち、ディスプレイパネル３０はカラーで画像を形成することができる。図１１Ｂに示された例は、いわゆるストライプ配列として、画素Ｐが形成されている。すなわち、赤色に発光する副画素ＲＰ、緑色に発光する副画素ＧＰおよび青色に発光する副画素ＢＰは、それぞれ、一つの方向（図１１Ｂでは縦方向）に連続して並べられている。一方、赤色に発光する副画素ＲＰ、緑色に発光する副画素ＧＰおよび青色に発光する副画素ＢＰは、当該一つの方向に直交する方向（図１１Ｂでは横方向）に、一つずつ、順に並べられている。なお、図１１Ｂは、ディスプレイパネル３０の画像形成面（出光面、即ち画面）への法線方向、言い換えると、ディスプレイパネル３０のパネル面への法線方向から当該ディスプレイパネル３０を観察した状態で、画素Ｐの配列を示している。
【００３６】
一方、メッシュパターン５３Ｐで画成される開口領域Ａに一定の繰返周期が存在する場合のモアレ発生を例示するのが図１２である。ここでは、メッシュパターン５３Ｐは、一定の繰返周期を有することを明示的に示す意味で、繰返周期パターン５３Ｐとも言うことにする。
【００３７】
図１２（Ａ）に図示したものは、正方格子状パターンで形成され縦横に各々一定の繰返周期が存在する繰返周期パターン５３Ｐで形成された導電体メッシュ層５３であり、本発明の透明アンテナ１０の導電体メッシュ層３とは異なるものである。
図１２（Ｃ）には、図１２（Ａ）に示された繰返周期を有する繰返周期パターン５３Ｐの導電体メッシュ層５３を、図１２（Ｂ）に示されたディスプレイパネル３０（図１１Ｂで示したものと同じである）に於ける典型的な画素配列上に重ねた状態が示されている。図１２（Ａ）、図１２（Ｂ）及び図１２（Ｃ）からも理解され得るように、繰返周期パターン５３Ｐからなる導電体メッシュ層５３がディスプレイパネル３０の画素配列上に配置されると、導電体メッシュ層５３を構成する繰返周期パターン５３Ｐの規則的パターンと画素の規則的パターンとの干渉によって、明暗の筋（図１２（Ｃ）に示された例では、左上から右下に延びている明暗の筋）が視認されるようになる。
【００３８】
なお、図１２（Ａ）および図１２（Ｃ）に示された例では、繰返周期パターン５３Ｐによって形成された正方格子の配列方向が、画素Ｐの配列方向に対して、数度傾斜している。この傾斜角をバイアス角（度）と呼称する。このような傾斜は、一般的に、モアレを目立たなくさせるものとして広く用いられている手法である。但し、図１２（Ｃ）に縞状模様が視認されることからも理解され得るように、モアレ発生の程度は単にバイアス角のみで決まる訳では無く、この他、画素Ｐ及び繰返周期パターン５３Ｐの繰返周期比、繰返周期パターン５３Ｐの線幅等の要因にも依存する。繰返周期パターン５３Ｐのバイアス角のみでモアレを解消しようとすると、ディスプレイパネル３０の設計仕様毎に応じてバイアス角の異なる透明アンテナを用意する必要が有る。
【００３９】
（メッシュパターンのパターン形状の作成方法）
ここで、一つの分岐点Ｂから延び出す境界線分Ｌの数の平均値Ｎが３．０＜Ｎ＜４．０であり且つ開口領域Ａが一定の規則性を持った繰返周期で並べられた方向が存在しないメッシュパターン３Ｐのパターンを作製する方法の一例を以下に説明する。
【００４０】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定してメッシュパターン３Ｐ（ライン部Ｌｔ）のパターンを決定する工程と、を有している。以下、各工程について順に説明していく。なお、上述した図３に示されたメッシュパターン３Ｐは、実際に以下に説明する方法で決定されたパターンである。
【００４１】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００４２】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００４３】
以上の手順で、メッシュパターン３Ｐが形成されるべき領域内に母点を配置することができなくなるまで、母点を配置していく。メッシュパターン３Ｐが形成されるべき領域内に母点を配置することができなくなった際に、母点を作製する工程が終了する。ここまでの処理により、２次元平面（ＸＹ平面）に於いて不規則的に配置された母点群が、メッシュパターン３Ｐが形成されるべき領域内に一様に分散した状態となる。
【００４４】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に、その２つのボロノイ領域ＸＡの母点同士が隣接していると定義する。
【００４５】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標形上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
【００４６】
以上の様にして、各母点間の距離を設定することによって、該母点群から以下に説明する方法で得られるボロノイ領域ＸＡ、更には、これから得られる開口領域Ａの外接円直径（乃至は開口領域Ａの面積）の分布についても、一様分布（完全ランダム）では無く、有限の範囲内に分布したものとなる。
この様に構成することにより、メッシュパターン３Ｐを目視した際の濃淡（明暗）ムラが、より一層、効果的に解消する。メッシュパターン３Ｐの目視時の濃淡ムラを、実質上、目視不能とし、且つメッシュパターン３Ｐの非周期性によるモアレ防止性とも両立させる為には、開口領域Ａの外接円直径Ｄ（開口領域Ａの大きさ）の最大値をＤMAX、最小値をＤMINとしたときに、当該外接円直径Ｄの分布範囲ΔＤ＝ＤMAX−ＤMINが外接円直径Ｄの平均値ＤAVGに対して、
０．１≦ΔＤ／ＤAVG≦０．６
より好ましくは、
０．２≦ΔＤ／ＤAVG≦０．４
とする。
【００４７】
なお、以上の母点を決定する工程において、距離ｒの大きさを変化させることにより、一つあたりの開口領域Ａの大きさを調節することができる。具体的には、距離ｒの大きさを小さくすることにより、一つあたりの開口領域Ａの大きさを小さくすることができ、逆に距離ｒの大きさを大きくすることにより、一つあたりの開口領域Ａの大きさを大きくすることができる。
【００４８】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で結ばれた線分で構成される図である。ここで、二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００４９】
図９のように作成されたボロノイ図において、各ボロノイ点ＸＰが、メッシュパターン３Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図３に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図３に示された例のように二つのボロノイ点ＸＰの間を直線状に延びるように決定した場合、各ボロノイ境界ＸＢが、境界線分Ｌを画成するようになる。
【００５０】
各境界線分Ｌの経路を決定した後、各境界線分Ｌの線幅（太さ）を決定する。境界線分Ｌの線幅は、アンテナパターン２の導電性と透明性を損なわない様に、決定される。以上のようにして、メッシュパターン３Ｐのパターンを決定することができる。
【００５１】
以上のような本実施形態によれば、アンテナパターン２を構成する導電体メッシュ層３のメッシュパターン３Ｐが、二つの分岐点Ｂの間を延びて開口領域Ａを画成する多数の境界線分Ｌから形成されており、一つの分岐点Ｂから延びる境界線分Ｌの数の平均値Ｎが３．０＜Ｎ＜４．０となっており、且つ、開口領域Ａが繰返周期を持つ方向が存在しないようになっている。
この結果、規則的（周期的）に画素Ｐが配列されたディスプレイパネル３０に、この透明アンテナ１０を重ねたとしても、縞状の模様（モアレ、干渉縞）が視認され得る程度に発生することを効果的に防止することができる。
【００５２】
（単位パターン領域としての繰返し）
上述した実施形態では、アンテナパターン２を構成する導電体メッシュ層３の全領域において、該導電体メッシュ層３のメッシュパターン３Ｐによって画成される開口領域Ａが繰返周期を持つ方向が存在しないようになっている例を説明した。しかしながら、図１０の様に、アンテナパターン２の内部に於いて導電体メッシュ層３が有するメッシュパターン３Ｐの全領域が、単位パターン領域Ｓを複数集合してメッシュパターン３Ｐの全領域が構成されるようにして、且つ各単位パターン領域Ｓ内に於いては、複数の開口領域Ａが、所定の繰返周期のないパターンで配列されている領域からなるようにしてもよい。即ち、この形態に於いては、アンテナパターン２の全領域に対応したメッシュパターン３Ｐの全領域中に、局所的に見たときに、同一パターンで開口領域群が配列されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、無視し得る。もちろん、単位パターン領域Ｓ中でモアレも濃淡ムラも生じていない。この例において、一つの単位パターン領域Ｓ内におけるメッシュパターン３Ｐのパターンは、例えば、図５〜図９を参照しながら説明したパターン作成方法と同様にして作成することができる。
【００５３】
特に最近では、ディスプレイパネル３０の大型化が進んでおり、この様な大画面のディスプレイパネル３０に対して大画面の全面に透明アンテナ１０を適用する様な場合などでは、透明アンテナ１０を適用したときにそのアンテナパターン２を構成する導電体メッシュ層３が有するメッシュパターン３Ｐが、複数の単位パターン領域Ｓの配列から構成されていて、且つ各々の単位パターン領域Ｓ内に於いては互いに同一のパターンで開口領域Ａが配列されている構成とした複数の単位パターン領域Ｓを含む場合、メッシュパターン３Ｐのパターン作成を格段に容易化することが可能となる点において好ましい。
【００５４】
なお、特に一種類の単位パターン領域Ｓを図１０に示す様に縦横に複数配置する例においては、特定方向（図面縦方向と横方向の２方向）で単位パターン領域Ｓとしての繰返しが存在する。図１０の実施形態に於いては、横方向に繰返周期ＳＰ２、縦方向に繰返周期ＳＰ１で単位パターン領域Ｓが繰り返されている。この条件下では、特定方向に於ける単位パターン領域Ｓの寸法をＬｓとし、該特定方向に延びる任意の直線ｄｊ上において単位パターン領域Ｓが寸法Ｌｓ内に開口領域ＡをＮ個有するとき、直線ｄｊ上の或る開口領域Ａに注目すると、直線ｄｊ上では開口領域Ａの個数がＮ個分だけ離れた位置には、全く同じ寸法ｔｊ及び形状の開口領域Ａが常に存在するという規則性を有する。しかし、この規則性は、単位パターン領域Ｓとしての繰返周期（前記で言えば寸法Ｌｓがその繰返周期に該当する）に基づくものであり、開口領域Ａとしての繰返周期ではなく、各単位パターン領域Ｓ内に於いて開口領域Ａが繰返周期を上記特定方向に持つことではない。また、単位パターン領域Ｓとしての繰返周期は、ディスプレイパネルの画素配列の配列周期に対して寸法が例えば１０００倍以上異なる為に、モアレが発生する様な近い寸法関係にない。
【００５５】
なお、図１０に示された例では、長方形状を呈するアンテナパターン２が、同一の形状を有した六つの単位パターン領域Ｓに分割され、各単位パターン領域Ｓ内で導電体メッシュ層３が有するメッシュパターン３Ｐが同一に構成されている。そして、六つの単位パターン領域Ｓは、図１０の縦方向（図面の上下方向）に繰返周期ＳＰ１で三つの領域が並ぶとともに、図１０の横方向に繰返周期ＳＰ２で二つの領域が並ぶように配列されている。
【００５６】
［導電体メッシュ層の主切断面形状］
導電体メッシュ層３の断面形状、つまり主切断面形状は、特に限定はない。例えば、図１３の断面図中、図１３（１）は長方形（含む正方形）、図１３（２）は透明基材１側を広幅の下底とする台形、図１３（３）は円又は楕円の一部、図１３（４）は三角形や台形の斜辺が外側に向かって凸形状に変調された形状（図は三角形の場合）、などである。図面は概念的なものであり、断面形状の角は、インクの流動性など製造上の造形精度、或いは形状耐久性などを勘案して、丸みを帯びていることがある。
【００５７】
［導電体メッシュ層の寸法］
導電体メッシュ層３の寸法は、導電性と透明性の観点から、メッシュパターン３Ｐを構成する境界線分Ｌの線幅は１〜１００μｍ、境界線分Ｌが見え難い「非視認性」の点では、線幅は５０μｍ以下、より好ましくは３０μｍ以下と、なるべく細い方が良い。一方、導電性及び形状耐久性の確保の点からは、線幅３μｍ以上、好ましくは１０μｍ以上確保するのが好ましい。細線の視認性（見え易さ）は、透明アンテナ１０がどの位の距離から視認されるかにもよるので、細線の線幅は用途に応じて設定すると良い。また、境界線分Ｌの線幅は、メッシュパターン３Ｐの全領域で均一とするのが一般的だが、場所によって変えるなどメッシュパターン３Ｐの全領域にて同一とする必要はない。
導電体メッシュ層３で構成されるアンテナパターン２の領域内での透明性は、３８０〜７８０ｎｍの可視光波長領域において、可視光透過率５０％以上、より好ましくは７０％以上であるが、用途にもよる。
【００５８】
メッシュパターン３Ｐが画成する開口領域Ａの寸法は、開口領域Ａを内接する外接円の直径にて５０〜１０００μｍ程度である。但し、開口率との兼ね合いで、要求される面としての導電性（表面抵抗率）を満たす範囲内とするのは言うまでもない。なお、導電体メッシュ層３の開口率〔（導電体メッシュ層３の非形成部である開口領域Ａの合計面積／開口領域Ａも含める導電体メッシュ層３の全被覆面積）×１００で定義〕は、導電性と透明性（可視光透過性）との両立の点から、５０％以上、好ましくは７０％以上とするのが良い。また、導電体メッシュ層３の厚みは、導電性（及び透明性）の観点等の点から１〜１００μｍ程度である。
ここで、一例を示せば、導電体メッシュ層３は、厚みが２０μｍ、線幅（メッシュパターン３Ｐのライン部Ｌｔの部分での線幅でもある）２０μｍ、開口領域Ａの外接円の平均寸法３００μｍである。開口率は８５％である。
【００５９】
［導電体メッシュ層の材料］
導電体メッシュ層３に利用できる導電体層としては、本発明ではＩＴＯ膜の様なそれ自身可視光線に対して透明な層は十分な導電性が期待できないので採用せず、十分な導電性が得られるがそれ自体不透明な層となるもの採用する。それ自身可視光線に対して不透明な層となる導電体層としては、公知のものを適宜使用すれば良く、好ましくは線幅１００μｍ以下のメッシュパターン３Ｐが形成可能なものであれば、特に制限はなく、材料及び形成法など、公知のものから適宜選択できる。例えば、金属層、或いは銀等から成る導電性粒子を樹脂バインダ中に分散させた導電性組成物層などである。
【００６０】
（金属層）
上記金属層の金属としては高導電性金属、例えば、金、銀、銅、白金、錫、アルミニウム、鉄、ニッケルなどの金属（含む合金）である。なかでも、金属として銅は一般的であるが、銅よりも安価であるアルミニウムを用いるのも好ましい。
【００６１】
金属層の場合、導電体メッシュ層３を形成するには、大別して、パターン非形成の金属層からパターン形成する方法、最初からパターン形成された金属層を形成する方法の二方法がある。
前者の方法では、パターン非形成の金属層の形成には、金属箔の積層法、めっき法、或いは蒸着やスパッタ等の乾式法が利用される。そして、該金属層に対するパターン形成には、ケミカルエッチング法が利用でき、その際エッチングレジストのパターン形成には、フォトリソグラフィ法や印刷法が利用される。
金属層を蒸着やスパッタ等で金属薄膜として形成する場合は、金属薄膜形成面に予め水溶性樹脂でネガパターン（開口領域Ａとする部分に該樹脂の層を形成する）を形成しておき、金属薄膜形成後、水洗してネガパターン上の金属薄膜を水溶性樹脂と共に除去する方法などもある。
【００６２】
一方、後者の最初からパターン形成した金属層を形成する方法としては、めっき触媒インキの印刷でパターン形成した触媒パターン上にのみ金属層をめっきする方法、これとは逆に、金属などの導電面上の非形成部とする部分にめっきレジストをパターン形成した後、めっきレジストの非形成部に電気めっきして導電体メッシュ層３を形成し、導電面から剥離する方法などがある。なお、剥離は更に透明基材１を積層後、透明基材１と共に剥離するなどする。
また、パターン形成前、パターン形成後の金属層について、転写法を利用して、金属層の積層面を転移させて変更する方法も利用できる。例えば、剥離性基材上に転写層として導電体メッシュ層３を形成した転写箔から、接着層を介して透明基材１に導電体メッシュ層３を積層する。剥離性基材には、前記透明基材で列記した樹脂フィルムなどを使用し（但し不透明でも良い）、接着層はアクリル系熱可塑性樹脂等を、転写箔側、透明基材側、又は両方に施す。
【００６３】
なお、通常は、導電体メッシュ層３の製造は、金属層による場合は、透明基材１上に金属箔接着、めっき、金属蒸着等で形成した金属層をフォトエッチングする方法で形成する。導電性組成物層として導電体メッシュ層３を形成する場合は、導電性組成物から成るインクの印刷で形成する。
【００６４】
めっき触媒パターン、レジストパターン、或いは下記する導電性組成物層、等を印刷でパターン形成する場合、シルクスクリーン印刷、フレキソ印刷、凹版印刷、インクジェット印刷など適宜選択すれば良いが、凹版印刷の場合は、特に後述する「引抜プライマ方式凹版印刷法」は微細且つ高精度にできる点で好ましい。
【００６５】
導電体メッシュ層３としての金属層がアルミニウム金属層である場合、メッシュパターン３Ｐの形成法は特に限定されるものではないが、微細なパターンを容易に形成可能である点で、好適にはアルミニウム箔のエッチングで行うことができる。ただ、金属アルミニウム自体は高活性で表面に酸化皮膜が存在し、このため、均一安定的なケミカルエッチングが難しく、ギザ（線条部分の平面視輪郭線がＺｉｇＺａｇな非直線状になること）等パターン精度不良となる。しかし、酸化皮膜の厚さを０〜１３Å以下に規定すると均一安定的なケミカルエッチングが可能となり、銅よりも安価なアルミニウムで導電体メッシュ層を形成できる。また、厚みの上限は１３Åだが、好ましくは１２Å、より好ましくは１０Å、更に好ましくは８Åである。厚みの下限はケミカルエッチングを阻害しない点からは０Åだが、箔の加工・保管中などでの不用意な望まれない酸化や腐食防止の観点から、２〜３Å程度の酸化皮膜があるのも良い。なお、１Å＝０．１ｎｍである。
酸化皮膜の厚み規定はエッチング液が始めに接する面側（通常箔を透明基材に積層後エッチングするので透明基材から遠い方の面、これを上面、他方の面を下面と呼んでもよい）のみで良いが、他方の面（下面）も同じ規定とすることができる。なお、一般的なアルミニウム箔の酸化皮膜は１５Å以上、通常２０〜１００Å程度の厚さである。
酸化皮膜の厚さを薄くするにはアルミニウム箔製造時の圧延条件や焼鈍条件を調整できる。酸化皮膜の厚さは、ハンターホール法、蛍光Ｘ線分析の一種であるＸ線光電子分光法（ＸＰＳ）で測定する。
アルミニウム箔は導電性が高い点で純度９９．０％以上が好ましく、ＪＩＳ Ｈ４１６０（アルミニウム及びアルミニウム合金はく）、ＪＩＳ Ｈ４１７０（高純度アルミニウムはく）で規定されるアルミニウム箔に準じた箔を使用することができる。
【００６６】
（導電性組成物層）
導電体メッシュ層３としての導電性組成物層は、導電性粒子を樹脂バインダ中に分散させた層であり、導電性粒子としては、金、銀、白金、銅、錫、アルミニウム、ニッケルなど高導電性金属（含む合金）粒子を用い、或いは樹脂粒子や無機物粒子の表面を金、銀など上記高導電性金属で被覆した金属被覆粒子、或いは黒鉛粒子などを用いてもよい。
【００６７】
上記樹脂バインダの樹脂としては、熱可塑性樹脂、熱硬化性樹脂、電離放射線硬化性樹脂などを単独使用又は併用する。熱可塑性樹脂には熱可塑性ポリエステル樹脂、熱可塑性アクリル樹脂など、熱硬化性樹脂にはメラミン樹脂、熱硬化性ポリエステル樹脂、熱硬化性アクリル樹脂、熱硬化性ウレタン樹脂などを使用する。また、電離放射線硬化性樹脂には、電離放射線で架橋反応などを起こして重合硬化するモノマー及び／又はプレポリマーを含む組成物を使用する。モノマーやプレポリマーにはラジカル重合性やカチオン重合性の化合物を使用する。なかでも、アクリレート系化合物を用いた電離放射性硬化性樹脂が代表的である。
【００６８】
導電性組成物層は層形成時の最初からパターン形成でき、印刷でパターン形成する場合、シルクスクリーン印刷、フレキソ印刷、凹版印刷、インクジェット印刷など適宜選択すれば良いが、凹版印刷の場合は、特に後述する「引抜プライマ方式凹版印刷法」は、微細なパターンを高精度で形成できる点で好ましい。尚、導電性組成物は導電性インク、導電性ペースト等とも呼称される。
或いは、透明基材１の面に目的とするメッシュパターン３Ｐのパターン溝を形成しておき、この透明基材１の面の全面に導電性組成物を塗布した後、該パターン溝以外に有る不要な導電性組成物をブレードなどで掻き取ってパターン溝の内部のみに導電性組成物を残すことで、導電性メッシュ層３を形成することもできる（所謂ワイピング加工法）。パターン溝を形成する基材は、透明基材１以外に、他の基材に形成後、転写で透明基材１に積層しても良い。
【００６９】
「引抜プライマ方式凹版印刷法」は、特許第４４３６４４１号公報（国際公開第２００８／１４９９６９号のパンフレット）で開示された印刷法であり、従来では不可能であった様な、細く且つ精細なパターン形成が可能であり優れた導電性と優れた光透過性とを高度に両立できる印刷法である。また、この印刷法は、導電体メッシュ層３の形成を、銀などの金属粒子と樹脂バインダからなる導電性組成物（インク乃至はペースト等とも呼ばれる）を凹版印刷して、導電性組成物層として導電体メッシュ層３を形成する。
「引抜プライマ方式凹版印刷法」では、透明基材１上に施した流動状態のままのプライマ層（プライマ流動層）上に導電性組成物のインクを凹版印刷する方法であり、しかもその際、凹版の版面上に透明基材１が存在している間に、版面と透明基材１間にあるプライマ流動層を紫外線照射などで硬化させてプライマ層として固化形成させた後に透明基材１を凹版から離版して、透明基材１上にプライマ層を介してパターン状の導電体メッシュ層３を印刷形成する方法である。このプライマ層は流動状態のときに、版から被印刷物へのインクの転移を促進する作用、言い換えると凹版の版面凹部内に充填されたインクを引き抜いて被印刷物（透明基材）に移す作用を有する。「引抜プライマ方式凹版印刷法」による印刷物が、他の印刷法にみられない大きな特徴は、プライマ層の厚さについて、導電性組成物層の形成部の厚さが導電性組成物層の非形成部である開口領域Ａに於ける厚さよりも厚い形状となる。
【００７０】
上記プライマ層には、熱可塑性樹脂、硬化性樹脂などが使用され、硬化性樹脂としては、熱硬化性樹脂、電離放射線硬化性樹脂を使用できるが、流動状態から固化状態への迅速な変化を制御できる点で、好ましくは電離放射線硬化性樹脂が使用される。電離放射線としては、紫外線、電子線等が通常使用される。
【００７１】
（黒化処理）
なお、金属層や導電性組成物層等として形成した導電体メッシュ層３が、金属色や銀色等と明るい色を呈し、これがメッシュパターン３Ｐを目立たせてしまう場合には、目立たなくさせる為に、その表面が黒化処理層を有するものとしても良い。黒化処理層としては、金属層の場合は黒化ニッケルめっきを行うなど公知の処理を適宜採用すれば良い。或いは、導電性組成物の場合には、組成物中にカーボンブラック等の黒色乃至は暗色を呈する色材を添加しても良い。
【００７２】
［導電体メッシュ層をアンテナパターンのパターン形状にする方法］
上記の様なメッシュパターン３Ｐの導電体メッシュ層３で、アンテナパターン２のパターン形状を形成するには、導電体メッシュ層３のメッシュパターン３Ｐの形成と同時に行えば良い。すなわち、導電体メッシュ層３（乃至はメッシュパターン３Ｐ）の領域の輪郭形状をアンテナパターン２のパターン形状として、導電体メッシュ層３のメッシュパターン３Ｐを形成すれば良い。
或いは、導電体メッシュ層３はアンテナパターン２よりも広い面積で形成しておいたもの（汎用原反）から、アンテナパターン２のパターン形状を形成しても良い。例えば、透明基材１上に導電体メッシュ層３を形成したものを汎用原反として、これを要求されるアンテナパターン２の形状に応じて、透明基材１ごとアンテナパターン２の形状に切断乃至切抜することで形成できる。また、導電体メッシュ層２が金属層である場合には、該汎用原反の不要な領域の導電体メッシュ層３をエッチングで除去することで形成できる。
この様に、導電体メッシュ層３をアンテナパターン２のパターン形状にする方法は、特に限定されるものではない。
【００７３】
《機能層》
透明アンテナ１０には、さらに機能層４が形成されていても良い。
機能層を設けることで、機能層の種類に応じじて、例えば、反射防止機能等の各種機能も付与することができる。
図１４（Ａ）に例示する実施形態例の透明アンテナ１０は、機能層４が透明基材１側の面に設けられた形態例である。透明基材１側とは、透明アンテナ１０において、透明基材１に対してアンテナパターン２が形成された側とは反対側を意味する。
図１４（Ｂ）に例示する実施形態例の透明アンテナ１０は、機能層４がアンテナパターン２側の面に設けられた形態例である。
図示はしないが、機能層４は、透明基材１とアンテナパターン２の間に設けられていても良く、この形態の場合では、アンテナパターン２は透明基材１上に積層された機能層４上に形成されたものとなる。このように、機能層４は、透明アンテナ１０において、透明基材１側の面、アンテナパターン２側の面、透明基材１とアンテナパターン２の間、のいずれか１以上の位置に設けられていても良い。従って、機能層４は、例えば、透明基材１側の面と、アンテナパターン２側の面との２箇所など、複数の位置に設けられていてもよい。
具体例を示せば、アンテナパターン２を外力などから保護する表面保護層として機能させる透明基材１に対して更に反射防止層を設け、一方、アンテナパターン２側の面に設ける機能層としては、透明アンテナ１０を被着体に貼り付ける為の粘着剤層及びこれを一時的に保護する剥離シートを採用する形態である。
【００７４】
機能層４は、透明アンテナ１０に求められる機能のうちで透明基材１とアンテナパターン２のみでは、実現できない機能を付与する為に設ける。例えば、上記した例では、粘着剤層、剥離シート、透明保護層、反射防止層であった。機能層４としては、透明アンテナ１０をディスプレイパネルの画面上に適用する用途の場合では、ディスプレイパネルの前面フィルタ等として公知の各種機能を実現する層を適宜採用できる。この様な機能層４は、大別すると光学機能を担う光学機能層と、光学機能以外の機能を担う非光学機能層がある。光学機能層の例を挙げれば、反射防止層（防眩、反射防止、防眩及び反射防止兼用のいずれか）、或いは、紫外線を吸収する紫外線吸収層、表示画像を好みの色調に補正する色補正機能などの特定光透過層などがある。非光学機能層の例を挙げれば、表面を保護する表面保護層やハードコート層、帯電防止層、汚染防止層、２層間を密着させる接着剤層（含む粘着剤層）、粘着剤層を一時的に保護する剥離シートなどがある。なお、光学機能層及び非光学機能層の夫々の各層は、単層で機能を兼用する事もあり、光学機能層と非光学機能層間で兼用する事もある。
【００７５】
以下、透明保護層、反射防止層、接着剤層（含む粘着剤層）について、さらに説明しておく。
【００７６】
［透明保護層］
透明保護層は、少なくともアンテナパターン２上に形成することが好ましいが、アンテナパターン２非形成部も含む透明アンテナ１０の全面に形成しても良い。透明保護層は透明樹脂フィルムの接着剤や粘着剤を介した積層や、透明樹脂塗料の塗布で形成することができる。透明樹脂フィルムには前記透明基材で列記したものなどが使用できる。透明樹脂塗料の樹脂としては、熱可塑性樹脂、硬化性樹脂等が使用でき、熱可塑性樹脂は、例えば、アクリル系樹脂、ポリエステル系樹脂、セルロース系樹脂、熱可塑性ウレタン系樹脂などであり、硬化性樹脂は例えば、熱硬化型ウレタン系樹脂、熱硬化型アクリル系樹脂、エポキシ系樹脂等の熱硬化性樹脂や、紫外線や電子線で硬化する電離放射線硬化性樹脂である。なお、電離放射線硬化性樹脂は、アクリレート系で代表されるラジカル重合性化合物や、エポキシ系で代表されるカチオン重合性化合物を含む樹脂がある。
接着剤にはウレタン樹脂系など公知の透明なものを、粘着剤には後述のアクリル系樹脂など公知の透明なものを使用できる。
【００７７】
［反射防止層］
反射防止層は、透明アンテナ１０の最外層となる位置の機能層として設ける。反射防止層によって、表面反射による光線透過率低下を防ぎ、透明アンテナ１０全体としての透明性低下を防ぐことができる。
反射防止層としては公知のものを適宜採用すれば良い。例えば、反射防止層には、低屈折率層と高屈折率層とを低屈折率層が最表面に位置する様に交互に積層した多層構成、或いは低屈折率層のみの単層構成（その下層が高屈折率層の役割を果たす）があり、各層は塗工などの湿式法、蒸着やスパッタなどの乾式法で形成する。
例えば、低屈折率層は、低屈折率材としてケイ素酸化物、フッ化マグネシウム、フッ化リチウム、フッ化カルシウム、フッ素含有樹脂などが用いられ、高屈折率層には高屈折率材として、酸化チタン、酸化ジルコニウム、酸化ニオブなどが用いられる。また塗工形成する場合は、バインダー樹脂として、好ましくは、前記透明保護層で列記した様な、熱硬化性樹脂や電離放射線硬化性樹脂などの硬化性樹脂が用いられる。例えば、低屈折率層には低屈折率材として中空シリカを電離放射線硬化性樹脂中に分散させた樹脂層を用い、高屈折率層には高屈折率材として酸化ジルコニウムを電離放射線硬化性樹脂中に分散させた樹脂層を用いるか、透明基材１或いは前記透明保護層自体で代用させる。
【００７８】
接着剤層としては、公知の接着剤、粘着剤を適宜採用することができる。例えば、（１）熱可塑性樹脂を用い、加熱溶融後に冷却固化させて接着する、所謂ヒートシール（熱封着）型乃至はホットメルト（熱溶）型接着剤、（２）熱硬化性樹脂を用い、加熱による重合乃至は架橋反応により硬化させて接着する、所謂熱硬化型接着剤、（３）電離放射線硬化性樹脂を用い、電離放射線照射による重合乃至は架橋反応により硬化させて接着する、所謂電離放射線硬化型接着剤、（４）表面に粘着性を有する樹脂を用い、接触、加圧のみで（加熱、電離放射線照射等のエネルギー印加、或いは化学反応を利用することなく）接着する、所謂粘着剤、等が挙げられる。
これらの中でも、加熱等の特別な処理が不要で、且つ必要に応じて再剥離も可能な点に於いて、粘着剤が汎用且つ便利である。接着剤として粘着剤を使用した接着剤層即ち粘着剤層としては、例えば、アクリル系粘着剤、シリコーン系粘着剤、ゴム系粘着剤等であり、公知の塗工法、或いはセパレータ付きなどの粘着フィルムの積層などで形成する。粘着剤層の粘着面には、使用時には剥離する剥離シートを通常は積層しておく。剥離シートとしては、例えば、ポリエステルフィルムや紙にシリコーン等の剥離性材料を塗布したものなど公知のものを使用できる。剥離シートは透明なものの他、使用時は剥離除去するので透明でなくても良い。
接着剤層としては、接着剤層のみからなる形態の他、不織布、樹脂シート等の芯材シートの表裏両面に接着剤層を積層した３層構成の形態（所謂両面接（粘）着テープ）で用いることも出来る。
【００７９】
《変形形態》
本発明による透明アンテナ１０は、透明基材１の面上に、アンテナパターン２以外に、アンテナパターン２との電気的な導通を果たす配線及び電極が形成されていても良い。配線及び電極も、アンテナパターン２部分と同様に上記導電体メッシュ層３で形成することで、配線及び電極部分でも、十分な導電性と十分な透明性が両立し、しかも、モアレ解消と濃淡ムラ解消も両立したものとすることができる。ただ、通常は電極部分については、ディスプレイパネルなど透明性が必要とされない透明アンテナ１０の外周部等に設けるので、電極部分については透明性を確保しなくても良い。この場合、電極部分は開口領域Ａが存在しない導電体連続層などとしても良い。導電体連続層は前記した導電性組成物層や金属層を用いることができる。
【００８０】
以上の様に、透明アンテナ１０は、少なくともアンテナパターン２は導電体メッシュ層３で形成されているが、透明アンテナ１０がアンテナパターン２以外で導電体層を含む場合、この導電体層には前記した導電体メッシュ層３以外の公知の導電体を適宜採用すれば良い。
【００８１】
図１を参照した上記実施形態例では、透明アンテナ１０のアンテナパターン２の全領域が、開口領域Ａが繰返周期を有する方向が存在しないメッシュパターン３Ｐのみから構成されていた。
しかしながら、ディスプレイパネル３０の画素とのモアレが実質上無視し得る範囲内であるならば、アンテナパターン２の全領域中の一部の領域に、開口領域Ａが繰返周期を有する方向が存在するメッシュパターン３Ｐを採用しても良い。勿論、この様な特定方向以外は、開口領域Ａが繰返周期を有する方向が存在しない。本発明のメッシュパターン３Ｐには、このような形態も包含する。
【００８２】
〔Ｃ〕画像表示装置：
本発明による画像表示装置は、図１５に例示する一実施形態例で示す画像表示装置１００の様に、上記の様な透明アンテナ１０を、ディスプレイパネル３０の画面２０ａ上に備える画像表示装置１００である。本画像表示装置１００は、該ディスプレイパネル３０以外に、筐体（キャビネット）、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。
ディスプレイパネル３０は、プラズマディスプレイパネル、液晶パネル、ＥＬ（電界発光）パネル等の平面画像を表示可能な表示パネルである。また、ディスプレイパネル３０は、表示面が平面乃至は湾曲面のブラウン管等でも良い。ディスプレイパネル３０としては、ディスプレイ駆動回路等の各種回路、該駆動回路とディスプレイパネル本体間の配線、これらを一体化するシャーシ、フレーム等を含んでいても良い。従って、ディスプレイパネル３０は、「ディスプレイモジュール」乃至は「パネルモジュール」等と呼ぶこともできる。
【００８３】
この様な構成の画像表示装置１００とすることで、アンテナとして十分な導電性と両立した十分な透明性が得ら、しかも、モアレ解消と濃淡ムラ解消も両立するので、品質の良い画像を表示できる。
【００８４】
なお、透明アンテナ１０は、ディスプレイパネル３０の画面３０ａ上に配置されるが、透明アンテナ１０とディスプレイパネル３０の画面３０ａとの間は、空気層があっても良く、樹脂層等で埋めても良い。
画像表示装置１００は、図示はしないが、ディスプレイパネル３０の画面上に、透明アンテナ１０以外に、その他の光学部材を備えていても良い。その他の光学部材は、例えば前記した機能層を有する光学部材等である。例えば、表面保護ガラス等である。
【００８５】
〔Ｄ〕用途：
本発明による透明アンテナ１０は、テレビジョン、ラジオ、ＧＰＳ（Global Positioning System）衛星、ＦＭ電波等の各種電波の受信アンテナ或いは送信乃至は送受信アンテナとして各種用途に使用可能である。
特に、周期的パターンを有するものとの組み合わせ用途、例えば、ディスプレイパネルの観察者側となる画面上に配置する用途は、モアレ及び濃淡ムラが生じないので、特に好適である。具体的には、ポータブル型などのテレビジョン受像機、受信機能付きデジタルフォトフレーム、携帯型多機能情報端末、携帯電話、携帯型ＧＰＳ機器など携帯情報機器、遊戯機器、電子看板などの画像の表示窓などである。
或いは、自動車等の車両の窓に貼付してカーナビゲーションシステム等の各種電波の受信アンテナ或いは送信乃至は送受信アンテナ、商品陳列ケースの透明窓などに貼付しＩＣタグによる在庫管理用途での信号送受信アンテナ、窓や扉のガラスに設置した破損検知センサの送信、受信、或いは送受信アンテナ等の用途である。
また、本発明による画像表示装置１００は、上記同様、ポータブル型などのテレビジョン受像機、携帯型多機能情報端末、携帯電話、携帯型ＧＰＳ機器など携帯情報機器、受信機能付きデジタルフォトフレーム、遊戯機器、電子看板のディスプレイモジュール等の用途に使用できる。
【符号の説明】
【００８６】
１    透明基材
２    アンテナパターン
３    導電体メッシュ層
３Ｐ  メッシュパターン
４    機能層
５    導電体連続層
１０    透明アンテナ
２０    従来の透明アンテナ
３０    ディスプレイパネル
１００    画像表示装置
Ａ    開口領域
Ｂ    分岐点
ＢＰ  母点
Ｌ    境界線分
Ｌｔ  ライン部（境界線分の集合）
Ｓ    単位パターン領域
Ｖ    観察者
【図１】
0005682464.tif 000002
【図２】
0005682464.tif 000003
【図３】
0005682464.tif 000004
【図４】
0005682464.tif 000005
【図５】
0005682464.tif 000006
【図６】
0005682464.tif 000007
【図７】
0005682464.tif 000008
【図８】
0005682464.tif 000009
【図９】
0005682464.tif 000010
【図１０】
0005682464.tif 000011
【図１１Ａ】
0005682464.tif 000012
【図１１Ｂ】
0005682464.tif 000013
【図１１Ｃ】
0005682464.tif 000014
【図１２】
0005682464.tif 000015
【図１３】
0005682464.tif 000016
【図１４】
0005682464.tif 000017
【図１５】
0005682464.tif 000018
【図１６】
0005682464.tif 000019